Podtech/llm-jp-corpus-v4-ja_patent huggingface dataset:
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
（ａ）式（Ｉ）
【化１】
2014523933.tif 000001
（式中、Ｒは、６から１０個の炭素原子を有するアルキル基を表す。）を有する少なくとも１つのモノマー、
（ｂ）少なくとも１つのポリアルキレングリコール、及び
（ｃ）少なくとも１つのポリイソシアネート
の縮合から得られる、水溶性ポリウレタン。
【請求項２】
（ａ）式（Ｉ）
【化２】
2014523933.tif 000002
（式中、Ｒは、６から１０個の炭素原子を有するアルキル基を表す。）のモノマー、
（ｂ）ポリアルキレングリコール、
（ｃ）ポリイソシアネート、及び
（ｄ）６から２０個の炭素原子を有する脂肪族アルコール
の縮合から得られる、請求項１に記載のポリウレタン。
【請求項３】
（ａ）１重量％から２９重量％の式（Ｉ）の少なくとも１つのモノマー、
（ｂ）７０重量％から９８重量％の少なくとも１つのポリアルキレングリコール、及び
（ｃ）１重量％から２９重量％の少なくとも１つのポリイソシアネート
の縮合から得られ、
これらの質量パーセントの合計は１００％に等しい、請求項１に記載のポリウレタン。
【請求項４】
（ａ）３重量％から７重量％の式（Ｉ）の少なくとも１つのモノマー、
（ｂ）８６重量％から９４重量％の少なくとも１つのポリアルキレングリコール、及び
（ｃ）３重量％から７重量％の少なくとも１つのポリイソシアネート
の縮合から生じ、
これらの質量パーセントの合計は１００％に等しい、請求項１又は３に記載のポリウレタン。
【請求項５】
ポリアルキレングリコールは、分子量が２，０００ｇ／ｍｏｌから２０，０００ｇ／ｍｏｌの間であるポリエチレングリコールである、請求項１から４のいずれか一項に記載のポリウレタン。
【請求項６】
ポリイソシアネートは、トルエンジイソシアネート、トルエンジイソシアネートダイマー、トルエンジイソシアネートトリマー、１，４−ブタンジイソシアネート、１，６−ヘキサンジイソシアネート、イソホロンジイソシアネート、１，３−シクロヘキサンジイソシアネート、１，４−シクロヘキサンジイソシアネート、４，４’ジイソシアナトジシクロヘキシルメタン、１−メチル−２，４−ジイソシアナトシクロヘキサン、１−メチル−２，４−ジイソシアナトシクロヘキサン及び１−メチル−２，６−ジイソシアナトシクロヘキサンのブレンド、ヘキサンメチレンジイソシアネートのビウレット、ヘキサンメチレンジイソシアネートのビウレットのダイマー、ヘキサンメチレンジイソシアネートのビウレットのトリマー並びにこれらの化合物の少なくとも２種類のブレンドからなる群から選択される、請求項１から５のいずれか一項に記載のポリウレタン。
【請求項７】
モノマー（ａ）は、式（Ｉ）を有し、式中、Ｒは、９個の炭素原子を有する基を表す、請求項１から６のいずれか一項に記載のポリウレタン。
【請求項８】
（ａ）１から２９重量％の式（Ｉ）
【化３】
2014523933.tif 000003
（式中、Ｒは、６から１０個の炭素原子を有するアルキル基を表す。）のモノマー、
（ｂ）７０重量％から９８重量％のポリアルキレングリコール、
（ｃ）１重量％から２９重量％のポリイソシアネート、及び
（ｄ）１重量％から２９重量％の６から２０個の炭素原子を有する脂肪族アルコール
の縮合から生じ、
これらの質量パーセントの合計は１００％に等しい、請求項１又は２に記載のポリウレタン。
【請求項９】
（ａ）１から２９重量％の式（Ｉ）（式中、Ｒは、６から１０個の炭素原子を有するアルキル基を表す。）のモノマー、
（ｂ）７０重量％から９８重量％のポリアルキレングリコール、
（ｃ）１重量％から２９重量％のポリイソシアネート、及び
（ｄ）１重量％から２９重量％の１０から１５個の炭素原子を有する脂肪族アルコール
の縮合から生じ、
これらの質量パーセントの合計は１００％に等しい、請求項８に記載のポリウレタン。
【請求項１０】
請求項１から９のいずれか一項に記載のポリウレタンを含む水系組成物。
【請求項１１】
水及び非イオン系界面活性剤をさらに含む、請求項１０に記載の水系組成物。
【請求項１２】
殺生物剤、溶媒、消泡剤、ｐＨ制御剤、融合助剤及びこれらのブレンドからなる群から選択される少なくとも１種類の添加剤をさらに含む、請求項１０又は１１に記載の水系組成物。
【請求項１３】
（１）５重量％から４５重量％の請求項１から９のいずれか１項に記載の少なくとも１つのポリウレタン、
（２）５重量％から３０重量％の少なくとも１つの界面活性剤、
（３）２５重量％から７５重量％の水、及び
（４）０から５重量％の殺生物剤、溶媒、消泡剤、ｐＨ制御剤、融合助剤及びこれらのブレンドからなる群から選択される少なくとも１種類の添加剤を含有し、
これらの質量％の合計は、１００％に等しい、請求項１０から１２のいずれか一項に記載の水系組成物。
【請求項１４】
塗料、ラッカー、ワニス、紙塗工剤、化粧品配合物及び洗剤配合物からなる群から選択される、請求項１から９のいずれか一項に記載のポリウレタン又は請求項１０から１３のいずれか一項に記載の水系組成物を含む水系製剤。
【請求項１５】
水系製剤を増粘するための、請求項１から９のいずれか一項に記載のポリウレタン又は請求項１０から１３のいずれか一項に記載の水系組成物の使用であって、前記水系製剤は、塗料、ラッカー、ワニス、紙塗工剤、化粧品配合物及び洗剤配合物からなる群から選択される、使用。
【請求項１６】
種々の成分の縮合からなる、請求項１から９のいずれか一項に記載のポリウレタンを調製する方法。
【手続補正２】
【補正対象書類名】明細書
【補正対象項目名】００３６
【補正方法】変更
【補正の内容】
【００３６】
本発明のある態様によれば、ポリウレタンは、特に、ポリエチレングリコールであるポリアルキレングリコールの縮合から生じる。これは、例えば、分子量が２，０００ｇ／ｍｏｌから２０，０００ｇ／ｍｏｌ、例えば、８，０００ｇ／ｍｏｌから１５，０００ｇ／ｍｏｌの間であるポリエチレングリコールに関していてもよい。一例として、分子量が１０，０００ｇ／ｍｏｌから１２，０００ｇ／ｍｏｌのポリエチレングリコールを引用してもよい。
【手続補正書】
【提出日】平成27年6月10日(2015.6.10)
【手続補正１】
【補正対象書類名】明細書
【補正対象項目名】００３７
【補正方法】変更
【補正の内容】
【００３７】
本発明の１つの態様によれば、ポリウレタンは特にポリエチレングリコールであるポリアルキレングリコールの縮合により得られる。このポリエチレングリコールは、例えば、分子量が２，０００ｇ／ｍｏｌから２０，０００ｇ／ｍｏｌ、例えば８，０００ｇ／ｍｏｌから１５，０００ｇ／ｍｏｌの間であるポリエチレングリコールに関するものであってよい。一つの例として、分子量が１０，０００ｇ／ｍｏｌおよび１２，０００ｇ／ｍｏｌのポリエチレングリコールを挙げることができる。
【手続補正２】
【補正対象書類名】特許請求の範囲
【補正対象項目名】全文
【補正方法】変更
【補正の内容】
【特許請求の範囲】
【請求項１】
水溶性ポリウレタンであって、
ａ）式（Ｉ）：
【化１】
2014523934.tif 000001
（式中、Ｒは１０個から１５個の炭素原子を有するアルキル基を表わす。）を有する少なくとも１種のモノマー、
ｂ）少なくとも１種のポリアルキレングリコール、および
ｃ）少なくとも１種のポリイソシアネート
の縮合により得られるポリウレタン。
【請求項２】
ａ）式（Ｉ）：
【化２】
2014523934.tif 000002
（式中、Ｒは１０個から１５個の炭素原子を有するアルキル基を表わす。）の１つのモノマー、
ｂ）１つのポリアルキレングリコール、
ｃ）１つのポリイソシアネート、および
ｄ）６個から２０個の間の炭素原子を有する、１つの脂肪族アルコール
の縮合により得られる、請求項１に記載のポリウレタン。
【請求項３】
ａ）１重量％から２９重量％の、式（Ｉ）の少なくとも１種のモノマー、
ｂ）７０重量％から９８重量％の、少なくとも１種のポリアルキレングリコール、および
ｃ）１重量％から２９重量％の、少なくとも１種のポリイソシアネート
の縮合により得られ、ここで、これらの質量パーセントの合計は１００％に等しい、請求項１に記載のポリウレタン。
【請求項４】
ａ）３重量％から７重量％の、式（Ｉ）の少なくとも１種のモノマー、
ｂ）８６重量％から９４重量％の、少なくとも１種のポリアルキレングリコール、および
ｃ）３重量％から７重量％の、少なくとも１種のポリイソシアネート
の縮合により得られ、ここで、これらの質量パーセントの合計は１００％に等しい、請求項１または３に記載のポリウレタン。
【請求項５】
ポリアルキレングリコールが、好ましくは分子量が２，０００ｇ／ｍｏｌから２０，０００ｇ／ｍｏｌの間であるポリエチレングリコールである、請求項１から４のいずれか一項に記載のポリウレタン。
【請求項６】
ポリイソシアネートが、トルエンジイソシアネート、トルエンジイソシアネートダイマー、トルエンジイソシアネートトリマー、１，４−ブタンジイソシアネート、１，６−ヘキサンジイソシアネート、イソホロンジイソシアネート、１，３−シクロヘキサンジイソシアネート、１，４−シクロヘキサンジイソシアネート、４，４’−ジイソシアネナトジシクロヘキシルメタン、１−メチル−２，４−ジイソシアナトシクロヘキサン、１−メチル−２，４−ジイソシアナトシクロヘキサンおよび１−メチル−２，６−ジイソシアナトシクロヘキサンの混合物、ヘキサメチレンジイソシアネートのビウレット、ヘキサメチレンジイソシアネートのビウレットのダイマー、ヘキサメチレンジイソシアネートのビウレットのトリマー、ならびにこれらの化合物の少なくとも２つの混合物からなる群から選択される、請求項１から５のいずれか一項に記載のポリウレタン。
【請求項７】
モノマーａ）が、Ｒが１２個の炭素原子を有する基を表わす式（Ｉ）を有する、請求項１から６のいずれか一項に記載のポリウレタン。
【請求項８】
ａ）１重量％から２９重量％の、式（Ｉ）：
【化３】
2014523934.tif 000003
（式中、Ｒは１０個から１５個の炭素原子を有するアルキル基を表わす。）の１つのモノマー、
ｂ）７０重量％から９８重量％の、１つのポリアルキレングリコール、
ｃ）１重量％から２９重量％の、１つのポリイソシアネート、および
ｄ）１重量％から２９重量％の、６個から２０個の炭素原子を有する、１つの脂肪族アルコール
の縮合により得られ、ここで、これらの質量パーセントの合計は１００％に等しい、請求項１または２に記載のポリウレタン。
【請求項９】
ａ）１重量％から２９重量％の、式（Ｉ）（式中、Ｒは１２個から１５個の炭素原子を有するアルキル基を表わす。）の１つのモノマー、
ｂ）７０重量％から９８重量％の、１つのポリアルキレングリコール、
ｃ）１重量％から２９重量％の、１つのポリイソシアネート、および
ｄ）１重量％から２９重量％の、１０個から１５個の炭素原子を有する、１つの脂肪族アルコール
の縮合により得られ、ここで、これらの質量パーセントの合計は１００％に等しい、請求項８に記載のポリウレタン。
【請求項１０】
請求項１から９のいずれか一項に記載のポリウレタンを含有する水性組成物。
【請求項１１】
水および界面活性剤をさらに含有する、請求項１０に記載の水性組成物。
【請求項１２】
殺生物剤、溶媒、消泡剤、ｐＨ調節剤、融合助剤およびこれらの混合物からなる群から選択される少なくとも１種の添加剤をさらに含む、請求項１０または１１に記載の水性組成物。
【請求項１３】
１）５重量％から４５重量％の、請求項１から９のいずれか一項に記載の少なくとも１種のポリウレタン、
２）５重量％から３０重量％の、少なくとも１種の界面活性剤、
３）２５重量％から７５重量％の、水、ならびに
４）０重量％から５重量％の、殺生物剤、溶媒、消泡剤、ｐＨ調節剤、融合助剤およびこれらの混合物からなる群から選択される少なくとも１種の他の添加剤
を含有し、ここで、これらの質量パーセントの合計は１００％に等しい、請求項１０から１２のいずれか一項に記載の水性組成物。
【請求項１４】
塗料、ラッカー、ニス、紙塗工剤、化粧品配合物および洗剤配合物からなる群から選択される、請求項１から９のいずれか一項に記載のポリウレタンまたは請求項１０から１３のいずれか一項に記載の水性組成物を含有する水性配合物。
【請求項１５】
水性配合物を増粘するための、請求項１から９のいずれか一項に記載のポリウレタンまたは請求項１０から１３のいずれか一項に記載の水性組成物の使用であり、前記配合物が塗料、ラッカー、ニス、紙塗工剤、化粧品配合物および洗剤配合物からなる群から選択される、使用。
【請求項１６】
種々の成分の縮合からなる、請求項１から９のいずれか一項に記載のポリウレタンの調製方法。
【手続補正書】
【提出日】平成27年5月27日(2015.5.27)
【手続補正１】
【補正対象書類名】特許請求の範囲
【補正対象項目名】請求項１
【補正方法】変更
【補正の内容】
【請求項１】
スポーツ用の衣類又は物品を着用者の身体に固定するストラップであって、前記ストラップは、テンショナ端を有する第１の部分を有し、前記テンショナ端はテンショナに含まれるとともに、前記テンショナにおいて終端し、前記テンショナは、使用時に着用者の身体に面する下側表面、反対側の上側表面、及び前記テンショナ端に取り付けるための取付部分を有し、さらに前記ストラップは、クリップ端を有する第２の部分を有し、前記クリップ端はクリップに固定されるとともに、前記クリップにおいて終端し、使用時において前記第２の部分はテンショナを通り、前記クリップは第２の部分上のクリップ端からスペースを空けた位置に解除可能に固定されることを特徴とするストラップ。
【手続補正２】
【補正対象書類名】明細書
【補正対象項目名】０００６
【補正方法】変更
【補正の内容】
【０００６】
第１の態様では、本発明は、衣類又は物品（例えば、スポーツ用の衣類又は物品）を着用者／ユーザの身体に固定するストラップであって、ストラップは、テンショナ端を有する第１の部分を有し、テンショナ端はテンショナに含まれるとともに、テンショナにおいて終端し、テンショナは、使用時に着用者の身体に面する下側表面、反対側の上側表面、及び前記テンショナ端に取り付けるための取付部分を有し、さらにストラップは、クリップ端を有する第２の部分を有し、クリップ端はクリップに固定され、クリップnにおいて終端し、使用時において第２の部分はテンショナを通り、クリップは第２の部分上のクリップ端からスペースを空けた位置に解除可能に固定されるストラップを提供する。
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
ヘッドバンドであって、
a. 上部が該ヘッドバンドの外部を形成し、弾性及び360度のグリッターパターンを有する弾性グリッターリボンと、
b. 底部が該ヘッドバンドの内部を形成し、弾性を有するストレッチビロードリボンと、
からなり、
c. 該弾性グリッターリボンが、ストレッチ縫い付け法を用いて該ストレッチビロードリボンに取り付けられ、これにより、該弾性グリッターリボン及び該ストレッチビロードリボンの弾性が維持され、
d. 該弾性グリッターリボン及び該ストレッチビロードリボンの両方の端部が接合されて、該ヘッドバンドが360度の弾性ヘッドバンドに形成され、
e. 該弾性グリッターリボンの該上部が、きらきら光る材料からなり、
f. 該ストレッチビロードリボンの該底部が、グリップ部分を形成するビロード様材料からなり、
g. 該ヘッドバンドの該外部が、該ヘッドバンドに中断のない360度に亘るきらめきを与える該弾性グリッターリボンの該上部からなり、
h. 該ヘッドバンドの該内部が、該ヘッドバンドに中断のない360度のグリップ部分を付与する該グリップ部分を形成する該ヘッドバンドの該底部からなる、
前記ヘッドバンド。
【請求項２】
前記ストレッチ縫い付け法が、
a. 前記弾性グリッターリボンを引き伸ばすステップと、
b. 前記ストレッチビロードリボンを引き伸ばすステップと、
c. 該弾性グリッターリボンと該ストレッチビロードリボンの弾性を維持するように、該弾性グリッターリボンと該ストレッチビロードリボンを互いに縫い付けるステップと、
からなる、請求項1記載のヘッドバンド。
【請求項３】
前記ヘッドバンドが、3/8インチの幅を有する、請求項1記載のヘッドバンド。
【請求項４】
前記ヘッドバンドが、5/8インチの幅を有する、請求項1記載のヘッドバンド。
【請求項５】
前記弾性グリッターリボンを前記ストレッチビロードリボンに取り付ける前記ストレッチ縫い付け法では、該弾性グリッターリボンの外部に目に見える縫い目/糸が現れる、請求項1記載のヘッドバンド。
【請求項６】
前記弾性グリッターリボンを前記ストレッチビロードリボンに取り付ける前記ストレッチ縫い付け法では、該弾性グリッターリボンの外部に目に見える縫い目/糸が現れない、請求項1記載のヘッドバンド。
【請求項７】
前記弾性グリッターリボンは、さらに該弾性グリッターリボンに接着されたグリッターからなる、請求項1記載のヘッドバンド。
【請求項８】
前記弾性グリッターリボンは、さらに該弾性グリッターリボンと一体のグリッターからなる、請求項1記載のヘッドバンド。
【請求項９】
前記グリッターが、細いティンセル様糸の表面で光が反射するとちらちら光って輝く該糸の取り付けによって前記弾性グリッターリボンと一体である、請求項8記載のヘッドバンド。
【請求項１０】
前記弾性グリッターリボンが、柔軟できらきら光り、そして前記グリッターが脱落しない、請求項8記載のヘッドバンド。
【請求項１１】
グリップ部分を形成する前記ビロード様材料が、ナイロンとエラストマーからなる、請求項1記載のヘッドバンド。
【請求項１２】
前記弾性グリッターリボンと前記ストレッチビロードリボンが同じ色である、請求項1記載のヘッドバンド。
【請求項１３】
前記弾性リボンと前記ストレッチビロードリボンが異なる色である、請求項1記載のヘッドバンド。
【請求項１４】
ヘッドバンドであって、
a. 上部が該ヘッドバンドの外部を形成し、弾性を有する弾性リボンと、
b. 底部が該ヘッドバンドの内部を形成し、弾性を有するストレッチリボンと、
からなり、
c. 該弾性リボンが、ストレッチ縫い付け法を用いて該ストレッチリボンに取り付けられ、これにより、該弾性リボン及び該ストレッチリボンの弾性が維持され、
d. 該弾性リボン及び該ストレッチリボンの両方の端部が接合されて、該ヘッドバンドが360度の弾性ヘッドバンドに形成され、
e. 該ストレッチリボンの該底部がグリップ部分からなり、
f. 該ヘッドバンドの該外部が、該ヘッドバンドに、中断のない360度に亘る該ヘッドバンドの外部を付与する該弾性リボンの該上部からなり、
g. 該ヘッドバンドの該内部が、該ヘッドバンドに中断のない360度のグリップ部分を付与する該グリップ部分を形成する該ヘッドバンドの該底部からなる、
前記ヘッドバンド。
【請求項１５】
前記弾性リボンが、シークイン、スパンデックス、ポリエステル混合物、ビーズ、シリコーン、トグル、テープ、ボタン、フック、スライダー、ベルクロ、ギンプ、及び/又はパフペイントの1つ以上を有する様々な生地、織物、及びファスナーからなる、請求項14記載のヘッドバンド。
【請求項１６】
前記ストレッチリボンが、ストレッチシリコーン裏地からなる、請求項14記載のヘッドバンド。
【請求項１７】
前記ストレッチシリコーン裏地が、その底面（使用中に装着者の頭部に接触する表面）にシリコーンが設けられた弾性バンドである、請求項16記載のヘッドバンド。
【請求項１８】
ヘッドバンドであって、
a. 上部が該ヘッドバンドの外部を形成し、底部が該ヘッドバンドの内部を形成し、弾性及び360度のグリッターパターンを有する弾性グリッターリボンからなり、
b. 該弾性グリッターリボンの端部が接合されて、該ヘッドバンドが360度の弾性ヘッドバンドに形成され、
c. 該弾性グリッターリボンの該上部が、きらきら光る材料からなり、
d. 該弾性グリッターリボンの該底部が、グリップ部分を形成するシリコーン裏地からなり、
e. 該ヘッドバンドの該外部が、該ヘッドバンドに中断のない360度に亘るきらめきを与える該弾性グリッターリボンの該上部からなり、
f. 該ヘッドバンドの該内部が、該シリコーン裏地からなる該弾性グリッターリボンの該底部からなり、該シリコーン裏地が、該ヘッドバンドに中断のない360度のグリップ部分を付与する該グリップ部分を形成する、
前記ヘッドバンド。
【請求項１９】
前記シリコーン裏地が、前記弾性グリッターリボンの裏全体をカバーする、請求項18記載のヘッドバンド。
【請求項２０】
前記シリコーン裏地が、前記弾性グリッターリボンの真中のシリコーンストリップである、請求項18記載のヘッドバンド。
【手続補正書】
【提出日】平成27年6月26日(2015.6.26)
【手続補正１】
【補正対象書類名】明細書
【補正対象項目名】０１１５
【補正方法】変更
【補正の内容】
【０１１５】
表４に、上記実施例に関して、Ｔｙｖｅｋ（登録商標）１０７３Ｄ基材に印刷された、ｇ／ｍ2の硬化性組成物の量、印刷パターンの特徴、およびＥＮ  ＩＳＯ  １１９２５−２火炎伝搬試験におけるそのような試料の性能を示す。シートの面積の４０％以上に、本発明による異方性のラビリンスパターンで、難燃剤コーティングを印刷することによって、ＥＮ  ＩＳＯ  １１９２５−２クラスＥ試験に合格することが可能である材料がもたらされる。これらの実施例は、印刷パターンの隣接する要素間の最小距離が減少した場合、平均火炎高さとして測定される性能が改善されることも実証する。
次に、本発明の好ましい態様を示す。
１．  少なくとも１種の可撓性基材と、少なくとも１種の難燃剤組成物とを含んでなる難燃性可撓性基材であって、前記難燃剤組成物が、前記少なくとも１種の可撓性基材の少なくとも片面を部分的に被覆し、かつ前記少なくとも１種の難燃剤組成物が規則的または不規則的パターンの形態で存在する難燃性可撓性基材。
２．  前記規則的または不規則的パターンが複数の個々の要素を含んでなり、隣接する要素間の距離が０．１ｍｍ〜２５ｍｍである、請求項１に記載の難燃性可撓性基材。
３．  前記少なくとも１種の難燃剤組成物の量が、前記可撓性基材の面積重量に基づき、２重量パーセント〜１００重量パーセントである、上記１または２に記載の難燃性可撓性基材。
４．  前記少なくとも１種の難燃剤組成物が、前記可撓性基材の少なくとも片面の面積で、前記可撓性基材の少なくとも片面の１５パーセント〜９５パーセントを被覆する、上記１〜３のいずれか一項に記載の難燃性可撓性基材。
５．  前記規則的または不規則的パターンの隣接する要素間の距離が０．１ｍｍ〜２０ｍｍであり、かつ前記少なくとも１種の難燃剤組成物が、前記可撓性基材の少なくとも片面の面積で、前記可撓性基材の少なくとも片面の２０パーセント〜８０パーセントを被覆する、上記１〜４のいずれか一項に記載の難燃性可撓性基材。
６．  前記少なくとも１種の難燃剤組成物が、前記可撓性基材の片面のみを被覆するが、前記可撓性基材の反対面が、前記少なくとも１種の難燃剤組成物を本質的に含まないままである、上記１〜５のいずれか一項に記載の難燃性可撓性基材。
７．  前記少なくとも１種の難燃剤組成物が、リンをベースとする組成物、ホウ素をベースとする組成物、無機塩をベースとする組成物、有機金属塩をベースとする組成物、ハロゲン化化合物をベースとする組成物、フルオロポリマーをベースとする組成物、充填剤をベースとする組成物、ケイ素をベースとする組成物およびそれらの組み合わせからなる群から選択される、上記１〜６のいずれか一項に記載の難燃性可撓性基材。
８．  前記少なくとも１種の難燃剤組成物が硬化性組成物である、上記１〜７のいずれか一項に記載の難燃性可撓性基材。
９．  前記少なくとも１種の難燃剤組成物が、２５℃で１０ｍＰａｓ〜２５０００ｍＰａｓの粘度を有する、上記１〜８のいずれか一項に記載の難燃性可撓性基材。
１０．  前記可撓性基材が多孔性可撓性基材である、上記１〜９のいずれか一項に記載の難燃性可撓性基材。
１１．  前記可撓性基材が不織布である、上記１０に記載の難燃性可撓性基材。
１２．  前記可撓性基材がポリオレフィン系不織布である、上記１１に記載の難燃性可撓性基材。
１３．  ａ．前記少なくとも１種の可撓性基材を提供する工程と、
ｂ．前記少なくとも１種の可撓性基材の少なくとも片面上に、規則的または不規則的パターンの形態で、前記少なくとも１種の難燃剤組成物を適用する工程と
を含んでなる、上記１〜１２のいずれか一項に記載の難燃性可撓性基材の製造方法。
１４．  前記少なくとも１種の難燃剤組成物が、前記可撓性基材の片面のみに適用されるが、前記可撓性基材の反対面が、前記少なくとも１種の難燃剤組成物を本質的に含まないままである、上記１３に記載の製造方法。
１５．  ｃ）前記少なくとも１種の難燃剤組成物を硬化させる工程をさらに含んでなる、上記１３または１４に記載の製造方法。
１６．  前記少なくとも１種の難燃剤組成物が放射線硬化によって硬化される、上記１４に記載の製造方法。
１７．  建築および建設用途、グラフィックおよび包装用途、バナー用途、カーゴおよびカーカバー用途、光反射器用途、衣服用途、ならびに個人保護用途における、上記１〜１２のいずれか一項に記載の難燃性可撓性基材の使用。
【手続補正２】
【補正対象書類名】特許請求の範囲
【補正対象項目名】全文
【補正方法】変更
【補正の内容】
【特許請求の範囲】
【請求項１】
少なくとも１種の可撓性基材と、少なくとも１種の難燃剤組成物とを含んでなる難燃性可撓性基材であって、前記難燃剤組成物が、前記少なくとも１種の可撓性基材の少なくとも片面を部分的に被覆し、かつ前記少なくとも１種の難燃剤組成物が規則的または不規則的パターンの形態で存在する難燃性可撓性基材。
【請求項２】
ａ．前記少なくとも１種の可撓性基材を提供する工程と、
ｂ．前記少なくとも１種の可撓性基材の少なくとも片面上に、規則的または不規則的パターンの形態で、前記少なくとも１種の難燃剤組成物を適用する工程と
を含んでなる、請求項１に記載の難燃性可撓性基材の製造方法。
【請求項３】
建築および建設用途、グラフィックおよび包装用途、バナー用途、カーゴおよびカーカバー用途、光反射器用途、衣服用途、ならびに個人保護用途における、請求項１に記載の難燃性可撓性基材の使用。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
金属パーツアセンブリの製造方法であって、前記方法は、
第１金属パーツ、及び第２金属パーツを提供する工程であって、前記第１及び第２金属パーツの少なくとも一方が金属パネルを含む、工程と、
接着剤シートを提供する工程であって、前記接着剤シートは、前記接着剤シートの第１端部付近の第１部分、及び前記接着剤シートの前記第１端部と反対側の第２端部付近の第２部分を有し、前記接着剤シートは第１及び第２エポキシ化合物とエポキシ硬化剤との混合物を含む熱硬化性組成物を含み、前記第１エポキシ化合物は少なくとも１０００ｇ／モルの重量平均分子量を有し、５〜１０モル％の量のエポキシ基を有し、前記第２エポキシ化合物は、４００ｇ／モル以下の重量平均分子量を有し、前記第１エポキシ化合物の前記第２エポキシ化合物に対する重量比は０．８〜４である、工程と、
前記第１金属パーツは、第１本体部分及び前記第１本体部分の第１端部に隣接する前記第１本体部分の縁に沿った第１フランジを有する、第１金属パネルを含み、
前記第２金属パーツは、第２本体部分及び前記第２本体部分の第２端部に隣接する前記第２本体部分の縁に沿った第２フランジを有する、第２金属パネルを含み、
前記接着剤シートは前記第１金属パネル又は前記第２金属パネルに接着され、
前記第１パネルの前記第１フランジは、前記第２パネルの前記第２フランジの上に折り畳まれ、
接着及び折り畳みの後に金属接合部が得られ、前記接着剤シートは、前記接着剤シートの前記第１部分が前記第２パネルの前記第２フランジと前記第１パネルの前記第１本体部分との間にあり、前記接着剤シートの前記第２部分が、前記第１パネルの前記第１フランジと前記第２パネルの前記第２フランジとの間にあるようにして、折り畳まれ、
前記接着剤シートの前記熱硬化性組成物の熱硬化を生じるために、前記金属接合部を加熱する工程とを含む、方法。
【請求項２】
金属パーツアセンブリであって、
第１金属パーツ、及び第２金属パーツであって、前記第１及び第２金属パーツの少なくとも一方が金属パネルを含む、第１金属パーツ、及び第２金属パーツと、
接着剤シートであって、前記接着剤シートの第１端部付近の第１部分、及び前記接着剤シートの前記第１端部と反対側の第２端部付近の第２部分を有する接着剤シートとを含み、
前記接着剤シートが前記第１金属パーツと前記第２金属パーツとの間にあり、前記第１金属パーツと前記第２金属パーツを接着させ、前記接着剤シートは、請求項１で定義される熱硬化性組成物の熱硬化反応生成物を含み、
前記第１金属パーツは、第１本体部分及び前記第１本体部分の第１端部に隣接する前記第１本体部分の縁に沿ったフランジを有する、第１金属パネルを含み、
第２金属パーツは、第２本体部分及び前記第２本体部分の第２端部に隣接する前記第２本体部分の縁に沿った第２フランジを有する、第２金属パネルを含み、
前記第２パネルの前記第２フランジは、前記第１パネルの前記第１本体の上にわたって伸び、前記第２パネルの前記第２端部は、前記第１パネルの前記第１フランジと隣接し、
前記第１パネルの前記第１フランジは、前記第２パネルの前記第２フランジの上に折り畳まれ、
前記接着剤シートの前記第１部分が、前記第２パネルの前記第２フランジと、前記第１パネルの前記第１本体部分との間にあって、これらを接着し、
前記接着剤シートの前記第２部分は、前記第２パネルの前記第２フランジの上で折り畳まれ、前記第１パネルの前記第１フランジを前記第２パネルの前記第２フランジに接着させる、金属パーツアセンブリ。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
高脂血症の治療又は高脂血症の心血管系の合併症の予防における使用のための３−ヒドロキシアントラニル酸（3-HAA）を含む医薬。
【請求項２】
前記高脂血症が、高コレステロール血症、高トリグリセリド血症及び複合型高脂血症（高脂血症の複合型形態）から成る群から選択される、請求項１に記載の医薬。
【請求項３】
前記高脂血症が、血漿中の高密度リポタンパク質（HDL）の低レベルと関連する、請求項１又は２に記載の医薬。
【請求項４】
前記高脂血症の心血管系の合併症が、アテロームの形成である、請求項１〜３のいずれか１項に記載の医薬。
【請求項５】
前記高脂血症の心血管系の合併症がアテロームの形成の臨床症状であり、臨床症状が心筋梗塞及び／又は心不全から選択される、請求項１〜３のいずれか１項に記載の医薬。
【請求項６】
狭心症の予防のための、請求項４又は５に記載の医薬。
【請求項７】
虚血性脳卒中及び／又は一過性脳虚血発作の予防のための、請求項４又は５に記載の医薬。
【請求項８】
アテローム性動脈硬化によって生じる、末梢性虚血、壊疽、腎機能障害、大動脈瘤、及び／又は重症虚血肢の予防のための、請求項４又は５に記載の医薬。
【請求項９】
前記高脂血症の合併症が黄色腫である、請求項１又は２に記載の医薬。
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
溶融塩を送る管路であって、発生する温度に対して安定な管壁を備え、前記管路（５）の内部に加熱のための発熱導体（２１）が案内されており、該発熱導体（２１）は、好ましくは前記管路（５）の内壁に当接しておらず、前記発熱導体（２１）は、任意の横断面を有する管（６９）又は通路の形態で形成されており、該管又は通路の壁に開口が形成されているか、又は前記発熱導体（２１）は、環状の編物（６５）又は織物として形成されているか、又は前記発熱導体（２１）は、軸方向で延在する少なくとも１つのＵ形又はＶ形の凹部（７１）を有することを特徴とする、溶融塩を送る管路。
【請求項２】
前記発熱導体（２１）は、前記管路（５）内に中心から外れて配置されており、管区分が最大で４５°の勾配で延びているとき、前記発熱導体（２１）の下方への間隔は、上方への間隔より大きい、請求項１記載の管路。
【請求項３】
前記発熱導体（２１）は、前記管路（５）が４５°より大きな勾配を有するとき、前記管路（５）内の中心に配置されている、請求項１記載の管路。
【請求項４】
前記発熱導体（２１）は、溶融塩が貫流する前記管路（５）内に設けられたアイ（２９）内を案内されている、請求項１から３までのいずれか１項記載の管路。
【請求項５】
前記発熱導体（２１）に絶縁体（３３）が取り付けられており、前記発熱導体（２１）は、前記絶縁体（３３）により前記アイ（２９）内に取り付けられている、請求項４記載の管路。
【請求項６】
前記発熱導体（２１）は、弾性的なスペーサにより前記管路（５）の内部に取り付けられている、請求項１から３までのいずれか１項記載の管路。
【請求項７】
前記発熱導体（２１）を前記管路（５）内に取り付けるために、取付けフック（３９）に掛着される輪（３７）が、前記発熱導体（２１）に取り付けられている、請求項１から３までのいずれか１項記載の管路。
【請求項８】
前記管路（５）は、内側に位置する管を有し、該内側に位置する管を溶融塩が貫流するようになっている、請求項１から７までのいずれか１項記載の管路。
【請求項９】
前記発熱導体（２１）は、複数の発熱導体セグメントに分割されており、各発熱導体セグメントは、低電気抵抗で接続されている、請求項１から８までのいずれか１項記載の管路。
【請求項１０】
前記管路（５）は、個々のセグメント（５１）に分割されている、請求項１から９までのいずれか１項記載の管路。
【請求項１１】
前記発熱導体セグメントの長さは、前記管路（５）の単数又は複数のセグメント（５１）の長さに相当する、請求項９及び１０記載の管路。
【請求項１２】
前記管路（５）は、パラボリックトラフ型ソーラーパワープラントのソーラーフィールド（１）内の管路である、請求項１から１１までのいずれか１項記載の管路。
【請求項１３】
流れを変向する曲がり管（４５）が、前記管路（５）の方向で延長されるそれぞれ１つの管路区分（４７）を有し、該管路区分（４７）は、閉鎖部（４９）により閉鎖されており、前記発熱導体（２１）は、前記管路区分（４７）の閉鎖部（４９）を通して案内されている、請求項１から１２までのいずれか１項記載の管路。
【請求項１４】
前記管路区分（４７）の閉鎖部（４９）は、ブラインドフランジとして形成されている、請求項１３記載の管路。
【請求項１５】
前記発熱導体（２１）の表面材料は、硝酸塩に対して耐食性の特殊鋼から選択されている、請求項１から１４までのいずれか１項記載の管路。
【請求項１６】
前記発熱導体（２１）は、絶縁されずに前記管路内を案内される、請求項１から１５までのいずれか１項記載の管路。
【請求項１７】
前記発熱導体（２１）は、導電性のよい材料で満たされた複数の管から製造されている、請求項１６記載の管路。
【請求項１８】
ソーラーパワープラントであって、請求項１から１７までのいずれか１項記載の少なくとも１つの管路を備え、硝酸ナトリウムの割合が少なくとも６０質量％である硝酸ナトリウムと硝酸カリウムとを含む溶融塩が、熱媒体として使用されることを特徴とする、ソーラーパワープラント。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
第１パネル（１）及び第２パネル（２）を備え、前記第２パネル（２）が前記第１パネル（１）に対して本質的に垂直に変位される時に、前記第１パネルと前記第２パネルとの間の機械的なロックを達成するために、前記パネルが互いに対して本質的に垂直に配置される時に、前記第２パネルのエッジ（１６）が、前記第１パネル（１）の溝（６）内に挿入可能である、という長方形状のパネル（１、２）として形成された１組の家具の構成要素であって、
前記エッジ（１６）は、舌部溝（５）を有すると共に、前記溝（６）は、別個かつ柔軟な舌部（３）を有し、
前記第１パネル（１）の主平面（ＭＰ）に対して垂直な第１方向において前記パネルを互いにロックするために、前記別個かつ柔軟な舌部（３）は、前記舌部溝（５）内に挿入可能であり、
前記第１パネル（１）の前記主平面（ＭＰ）と平行な第２方向において前記パネルを互いにロックするために、前記第２パネルの前記エッジ（１６）は、前記第１パネル（１）の溝（６）と協力して動作するように構成されており、
前記別個かつ柔軟な舌部（３）の長さ方向は、前記エッジ及び／または溝（６）と平行に延びており、
前記溝（６）は、開口と、２つの側壁（６ｂ、６ｃ）と、底部（６ａ）と、を有しており、
前記別個かつ柔軟な舌部（３）は、挿入溝（４）内に配置されており、
前記別個かつ柔軟な舌部は、前記挿入溝（４）内に取り付けられる内側部分（９）と、前記挿入溝の開口の外側に延伸する外側部分（１０）と、を有しており、
前記別個かつ柔軟な舌部（３）は、ロック中に、前記挿入溝（４）の底部に向かって内向きに、及び、前記舌部溝（５）内へ外向きに、変位可能であり、
前記挿入溝（４）は、前記開口が前記挿入溝（４）の内側部分よりも前記第１パネル（１）の前記主平面（ＭＰ）に近い状態で、上向きに傾けられている
ことを特徴とする１組の家具の構成要素。
【請求項２】
前記柔軟な舌部は、前記内側部分と前記外側部分との間に位置された２つの対向する変位面（３ａ、３ｂ）を有し、
前記柔軟な舌部（３）の前記２つの対向する変位面の各々は、ロック中に、前記挿入溝（４）の前記底部に向かって内向きに、及び、前記舌部溝（５）に向かって外向きに、それぞれ、前記挿入溝の上方壁及び下方壁に対して変位可能である
ことを特徴とする請求項１に記載の１組の家具の構成要素。
【請求項３】
前記挿入溝（４）は、その下方部分の延長線Ｅが前記溝（６）の開口の前記外側部分に、または、それより外側に位置するように傾けられている
ことを特徴とする請求項１または２に記載の１組の家具の構成要素。
【請求項４】
前記第２パネル（２）が前記第１パネル（１）の溝（６）内に挿入される時にパネル本体が前記溝（６）の開口（２７、２８）の一方部分または両方部分と重なるように、前記第２パネルは、前記パネル本体（２）よりも小さな厚みを有する外側エッジを有する
ことを特徴とする請求項１乃至３のいずれかに記載の１組の家具の構成要素。
【請求項５】
前記別個かつ柔軟な舌部（３）の内側部分（９）は、前記別個かつ柔軟な舌部（３）の前記長さ方向に延伸する１つまたは２つ以上の柔軟な突出部（８）を有する
ことを特徴とする請求項１乃至４のいずれかに記載の１組の家具の構成要素。
【請求項６】
前記挿入溝（４）は、前記第１パネル（１）の前記溝（６）内に形成されている
ことを特徴とする請求項１乃至５のいずれかに記載の１組の家具の構成要素。
【請求項７】
前記挿入溝（４）は、前記第２パネルの前記主平面に対して、約１０°〜４５°の角度で傾けられている
ことを特徴とする請求項１乃至６のいずれかに記載の１組の家具の構成要素。
【請求項８】
前記パネルは、互いに離された少なくとも２つの別個かつ柔軟な舌部（３）を有する
ことを特徴とする請求項１乃至７のいずれかに記載の１組の家具の構成要素。
【請求項９】
前記溝（６）は、パネルの一部に沿って延びる部分的な溝として形成されている
ことを特徴とする請求項１乃至８のいずれかに記載の１組の家具の構成要素。
【請求項１０】
前記パネルには、前記第１パネル（１）の前記主平面（ＭＰ）と平行にパネルをロックするためのロック要素（１２）及びロック溝（１４）が設けられている
ことを特徴とする請求項１乃至９のいずれかに記載の１組の家具の構成要素。
【請求項１１】
角部分において前記隣接する外側パネルエッジ（１７、１８）は、前記パネルの前記主平面（ＭＰ）に対して内向きに傾けられている
ことを特徴とする請求項１乃至１０のいずれかに記載の１組の家具の構成要素。
【請求項１２】
前記別個かつ柔軟な舌部（３）は、前記舌部溝（５）に対して予張力でロックされている
ことを特徴とする請求項１乃至１１のいずれかに記載の１組の家具の構成要素。
【請求項１３】
前記別個かつ柔軟な舌部（３）は、射出成型樹脂材料から形成されている
ことを特徴とする請求項１乃至１２のいずれかに記載の１組の家具の構成要素。
【請求項１４】
前記第１パネル及び／または前記第２パネルは、エッジ部分または溝部分を形成する別個の材料（２４、２５）を有する
ことを特徴とする請求項１乃至１３のいずれかに記載の１組の家具の構成要素。
【請求項１５】
前記別個の材料は、箔で被覆されている
ことを特徴とする請求項１４に記載の１組の家具の構成要素。
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
置換フェニレン芳香族ジエステルを含むランダムプロピレン／エチレンコポリマーを含むフィルムであって、前記ランダムプロピレン／エチレンコポリマーが、０．６５より大きいエチレン組込み指数および下記式
【数８】
2014523959.tif 000001
に従うキシレン可溶分含量を有する、フィルム。
【請求項２】
前記ランダムプロピレン／エチレンコポリマーが２．０よりも大きいエチレン比を有する、請求項１に記載のフィルム。
【請求項３】
前記置換フェニレン芳香族ジエステルが３−メチル−５−ｔｅｒｔ−ブチル−１，２−フェニレンジベンゾエートである、請求項１に記載のフィルム。
【請求項４】
０．９０以上のＢ値を有する、請求項１に記載のフィルム。
【請求項５】
第１のシール部分および第２のシール部分のそれぞれが１つの層の構成要素である、第２のシール部分と接触している第１のシール部分を含むヒートシールを備える物品であって、前記層が、置換フェニレン芳香族ジエステルを含むランダムプロピレン／エチレンコポリマーを含む、物品。
【請求項６】
前記ランダムプロピレン／エチレンコポリマーが０．６５より大きいエチレン組込み指数および下記式
【数９】
2014523959.tif 000002
に従うキシレン可溶分含量を有する、請求項５に記載の物品。
【請求項７】
前記ランダムプロピレン／エチレンコポリマーが２．０より大きいエチレン比を有する、請求項５に記載の物品。
【請求項８】
前記第１のシール部分および前記第２のシール部分のそれぞれが単一フィルムの構成要素である、請求項５に記載の物品。
【請求項９】
前記第１のシール部分が第１のフィルムの構成要素であり、前記第２のシール部分が第２のフィルムの構成要素である、請求項５に記載の物品。
【請求項１０】
前記層が二軸配向フィルムである、請求項５に記載の物品。
【請求項１１】
前記層が多層フィルムのシール層である、請求項５に記載の物品。
【請求項１２】
置換フェニレン芳香族ジエステルを含むランダムプロピレン／エチレンコポリマーを含むフィルム、および
第１のフィルム部分を第２のフィルム部分にシールして容器内部を画定しているヒートシール
を備える、容器。
【請求項１３】
前記第１のフィルム部分および前記第２のフィルム部分のそれぞれが単一フィルムの構成要素である、請求項１２に記載の容器。
【請求項１４】
前記第１のフィルム部分が第１のフィルムの構成要素であり、前記第２のフィルム部分が第２のフィルムの構成要素である、請求項１２に記載の容器。
【請求項１５】
容器内部に入れられた食料品を含む、請求項１２に記載の容器。
【請求項１６】
前記置換フェニレン芳香族ジエステルが、下記の構造（ＩＩ）
【化１】
2014523959.tif 000003
［式中、Ｒ1〜Ｒ14は同じでありまたは異なり、Ｒ1〜Ｒ14のそれぞれは、水素、１個から２０個までの炭素原子を有する置換ヒドロカルビル基、１個から２０個までの炭素原子を有する非置換ヒドロカルビル基、１個から２０個までの炭素原子を有するアルコキシ基、ヘテロ原子、およびそれらの組合せから選択され、Ｒ1〜Ｒ14のうち少なくとも１つは水素ではない］
を有する１，２−フェニレン芳香族ジエステルである、請求項１に記載のフィルム。
【請求項１７】
Ｒ1〜Ｒ4のうち少なくとも１つまたは２つまたは３つまたは４つのＲ基は、１個から２０個までの炭素原子を有する置換ヒドロカルビル基、１個から２０個までの炭素原子を有する非置換ヒドロカルビル基、１個から２０個までの炭素原子を有するアルコキシ基、ヘテロ原子、およびそれらの組合せから選択される、請求項１６に記載のフィルム。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
哺乳類ベータディフェンシンを含む、炎症性腸疾患の予防的治療用の、経口投与される薬剤。
【請求項２】
哺乳類ベータディフェンシンを含む、炎症性腸疾患を寛解状態に保つための、経口投与される薬剤。
【請求項３】
哺乳類ベータディフェンシンを含む、炎症性腸疾患の寛解を引き延ばすための、経口投与される薬剤。
【請求項４】
哺乳類ベータディフェンシンを含む、炎症性腸疾患の再発の発生を減少させるための、経口投与される薬剤。
【請求項５】
前記炎症性腸疾患は、クローン病である、請求項1乃至4の何れかに記載の薬剤。
【請求項６】
前記クローン病は、軽度の活動性疾患又は中度から重度の活動性疾患である、請求項5記載の薬剤。
【請求項７】
前記炎症性腸疾患は、潰瘍性大腸炎である、請求項1乃至4の何れかに記載の薬剤。
【請求項８】
前記大腸炎は、全大腸炎又は左側大腸炎である、請求項7記載の薬剤。
【請求項９】
哺乳類ベータディフェンシンを含む、炎症性腸疾患の治療用の、同時又は連続的に経口及び非経口投与される薬剤。
【請求項１０】
前記薬剤は、少なくとも1回の前記薬剤の非経口投与後に経口投与される、請求項9記載の薬剤。
【請求項１１】
前記薬剤は、前記薬剤の投与量の少なくとも1回の非経口投与と一緒に経口投与される、請求項9記載の薬剤。
【請求項１２】
あるディフェンシンは、経口投与され、あるディフェンシンは、非経口投与され、前記経口投与されたディフェンシンと非経口投与されたディフェンシンとは同じである、請求項9乃至11の何れかに記載の薬剤。
【請求項１３】
あるディフェンシンは、経口投与され、あるディフェンシンは、非経口投与され、前記経口投与されたディフェンシンと非経口投与されたディフェンシンとは異なる、請求項9乃至11の何れかに記載の薬剤。
【請求項１４】
哺乳類ベータディフェンシンを含む、結腸の上皮裏打ちにおける好中球の浸潤を減少させるための、経口投与される薬剤。
【請求項１５】
好中球の浸潤は、近位結腸において減少する、請求項14記載の薬剤。
【請求項１６】
好中球の浸潤は、更に下行及びS状結腸において減少する、請求項15記載の薬剤。
【請求項１７】
哺乳類ベータディフェンシンを含む、結腸における炎症を減少させるための、経口投与される薬剤。
【請求項１８】
前記結腸における炎症は、炎症性腸疾患である、請求項17記載の薬剤。
【請求項１９】
哺乳類ベータディフェンシンを含む、消化管の上皮裏打ちにおけるサイトカイン産生を調節するための、経口投与される薬剤。
【請求項２０】
消化管の上皮裏打ちにおける前記サイトカイン産生は、炎症性腸疾患に起因する、請求項19記載の薬剤。
【請求項２１】
前記薬剤は、IL-23、IL-1β、IL-6、IL-8、MCP-1、及びTNFαからなる群から選択された少なくとも1つのサイトカイン又はケモカインの活性の下方制御に有効である、請求項19記載の薬剤。
【請求項２２】
前記薬剤は、IL-10の活性の上方制御に有効である、請求項19記載の薬剤。
【請求項２３】
前記薬剤は、ヒトに投与され、前記哺乳類ベータディフェンシンは、ヒトベータディフェンシンである、請求項1乃至22の何れかに記載の薬剤。
【請求項２４】
前記哺乳類ベータディフェンシンは、配列番号1、配列番号2、配列番号3、又は配列番号4からなる群から選択されたアミノ酸配列の何れかに対して少なくとも80％の配列同一性を有する、請求項1乃至23の何れかに記載の薬剤。
【請求項２５】
前記哺乳類ベータディフェンシンは、配列番号2に対して少なくとも80％の配列同一性を有する、請求項1乃至24の何れかに記載の薬剤。
【請求項２６】
前記哺乳類ベータディフェンシンは、ヒトベータディフェンシン2の変異体であり、10個以下、又は5個以下、又は2個以下のアミノ酸が、配列番号2と比較して変化している、請求項1乃至25の何れかに記載の薬剤。
【請求項２７】
前記哺乳類ベータディフェンシンは、ヒトPBMC、ヒトCD14+単球由来樹状細胞、ヒト単球株化細胞、及びヒト未成熟樹状細胞からなる群から選択されたヒト細胞において、少なくとも1つの炎症性サイトカインの活性を下方制御することができる、請求項1乃至27の何れかに記載の薬剤。
【請求項２８】
前記炎症性サイトカインは、TNFα、IL-23、及びIL-1βからなる群から選択される、請求項27記載の薬剤。
【請求項２９】
前記哺乳類ベータディフェンシンは、ヒトPBMC、ヒトCD14+単球由来樹状細胞、ヒト単球株化細胞、及びヒト未成熟樹状細胞からなる群から選択されたヒト細胞において、少なくとも1つの抗炎症性サイトカインの活性を上方制御することができる、請求項1乃至28の何れかに記載の薬剤。
【請求項３０】
前記抗炎症性サイトカインは、IL-10である、請求項29記載の薬剤。
【請求項３１】
前記哺乳類ベータディフェンシンは、少なくとも1日1回、又は少なくとも1日2回、又は少なくとも1日3回投与される、請求項1乃至30の何れかに記載の薬剤。
【請求項３２】
前記哺乳類ベータディフェンシンは、0.0001乃至10 mg/kg、又は0.001乃至10 mg/kg、又は0.005乃至5 mg/kgの1日投与量で投与される、請求項1乃至31の何れかに記載の薬剤。
【誤訳訂正書】
【提出日】平成27年6月25日(2015.6.25)
【誤訳訂正１】
【訂正対象書類名】明細書
【訂正対象項目名】００４１
【訂正方法】変更
【訂正の内容】
【００４１】
さらなる利点は、以下の式を満たすことによって得られる：
１９％＜Ｃｒ＋４*Ｎｂ＋２１．６*Ｍｉｎ（Ｓｉ；０．５*Ｎｂ）  （式３ａ）
式中、Ｃｒ、Ｓｉ、及びＮｂは、これらの元素の質量％での合金含分であり、かつＭｉｎ（Ｓｉ；０．５*Ｎｂ）は、Ｓｉ及び０．５*Ｎｂの値のうち小さい値を表す。
【誤訳訂正２】
【訂正対象書類名】明細書
【訂正対象項目名】０１０６
【訂正方法】変更
【訂正の内容】
【０１０６】
耐熱性の上昇は特に、耐熱性の向上作用をもたらす様々な添加物に依存して、特定の範囲で記載される。この有利な範囲は、以下の２つの式により記載される：
３６＜Ｃｒ＋３*（Ａｌ＋Ｓｉ）＋４．６*Ｍｏ＋５．２*Ｗ＋１０*Ｎｂ  （式１ａ）
１９＜Ｃｒ＋４*Ｎｂ＋２１．６*Ｍｉｎ（Ｓｉ；０．５*Ｎｂ）  （式３ａ）
式中、Ｃｒ、Ａｌ、Ｍｏ、Ｗ、及びＮｂは、これらの元素の質量％での合金含分であり、かつＭｉｎ（Ｓｉ；０．５*Ｎｂ）は、Ｓｉ及び０．５*Ｎｂの値のうち小さい値を表す。